(57)【特許請求の範囲】
【請求項１】
所定角度をなして一対の固定片の各側縁同士を結合し、この結合部から一対のガイド片を突設させて接合部材が形成され、隙間を空けて前記所定角度と等しい角度をなして設置された複数の外壁材の後面側に前記接合部材の各固定片が配置されていると共に、この接合部材の一対のガイド片が前記隙間を通って各外壁材の前面から突出している外壁出隅部の目地構造において、一対のガイド片がなす角度と等しい角度をなして一対の連結片の各側縁同士を結合すると共に各連結片の先端部に係合部を設けて連結具が形成され、前記係合部に係合する係合突起を各ガイド片の先端部に設け、複数の接合部材がガイド片が連続するように配置され、連結片の係合部とガイド片の係合突起とを係合させて、隣り合う接合部材間の継ぎ目を覆うように連結具が取り付けられていることを特徴とする外壁出隅部の目地構造。
【請求項２】
所定角度をなして一対の固定片の各側縁同士を結合し、この結合部から一対のガイド片を突設させて接合部材が形成され、隙間を空けて前記所定角度と等しい角度をなして設置された複数の外壁材の後面側に前記接合部材の各固定片が配置されていると共に、この接合部材の一対のガイド片が前記隙間を通って各外壁材の前面から突出している外壁出隅部の目地構造において、ガイド片の先端部の外壁材側に傾斜面が形成されていることを特徴とする外壁出隅部の目地構造。
【請求項３】
ガイド片と外壁材との間に形成された間隙にシーリング材が充填されていることを特徴とする請求項１又は２に記載の外壁出隅部の目地構造。
【発明の詳細な説明】
【技術分野】
【０００１】
本発明は、住宅等の建築物における外壁出隅部の目地構造に関するものである。
【背景技術】
【０００２】
従来、建物の出隅構造としては、例えば、二つの側片がその側端縁同士で接合された形状を有する断面Ｌ字状の出隅部材を建物の下地材の出隅部分に沿って敷設すると共にこの出隅部材に隣接して壁材を建物の下地材に沿って敷設したものなどが知られている（例えば、特許文献１、２参照。）。
【０００３】
しかしながら、このような従来の外壁出隅部にあっては、装飾的な効果が不十分であり、意匠性が低いという問題があった。
【特許文献１】特開２００６−１２４９５１号公報
【特許文献２】特開２００７−１２００４７号公報
【発明の開示】
【発明が解決しようとする課題】
【０００４】
本発明は上記の点に鑑みてなされたものであり、意匠性を高めることができる外壁出隅部の目地構造を提供することを目的とするものである。
【課題を解決するための手段】
【０００５】
本発明の請求項１に係る外壁出隅部の目地構造は、所定角度をなして一対の固定片の各側縁同士を結合し、この結合部から一対のガイド片を突設させて接合部材が形成され、隙間を空けて前記所定角度と等しい角度をなして設置された複数の外壁材の後面側に前記接合部材の各固定片が配置されていると共に、この接合部材の一対のガイド片が前記隙間を通って各外壁材の前面から突出している外壁出隅部の目地構造において、一対のガイド片がなす角度と等しい角度をなして一対の連結片の各側縁同士を結合すると共に各連結片の先端部に係合部を設けて連結具が形成され、前記係合部に係合する係合突起を各ガイド片の先端部に設け、複数の接合部材がガイド片が連続するように配置され、連結片の係合部とガイド片の係合突起とを係合させて、隣り合う接合部材間の継ぎ目を覆うように連結具が取り付けられていることを特徴とするものである。
【０００６】
本発明の請求項２に係る外壁出隅部の目地構造は、所定角度をなして一対の固定片の各側縁同士を結合し、この結合部から一対のガイド片を突設させて接合部材が形成され、隙間を空けて前記所定角度と等しい角度をなして設置された複数の外壁材の後面側に前記接合部材の各固定片が配置されていると共に、この接合部材の一対のガイド片が前記隙間を通って各外壁材の前面から突出している外壁出隅部の目地構造において、ガイド片の先端部の外壁材側に傾斜面が形成されていることを特徴とする。
【０００８】
請求項３に係る発明は、請求項１又は２において、ガイド片と外壁材との間に形成された間隙にシーリング材が充填されていることを特徴とするものである。
【発明の効果】
【０００９】
本発明の請求項１に係る外壁出隅部の目地構造によれば、外壁材から突出しているガイド片によって目地部分に外観上のアクセントをつけることができ、意匠性を高めることができるものである。また、隣り合う接合部材間の継ぎ目を目立たないようにすることができるものである。
【００１０】
本発明の請求項２に係る外壁出隅部の目地構造によれば、ガイド片と外壁材との間隙にシーリング材を容易に充填することができるものである。
【００１２】
請求項３に係る発明によれば、水密性を高めることができるものである。
【発明を実施するための最良の形態】
【００１３】
以下、本発明の実施の形態を説明する。
【００１４】
図１は本発明に係る外壁出隅部の目地構造の一例を示すものである。この例では複数の柱１２（図１では他の柱１２は図示省略）を離間して立設し、各柱１２の屋外側に合板等で形成された下地材１３を取り付けた後、この下地材１３の表面に透湿防水シート１４を張設する。さらに外壁の出隅部に位置する柱１２の屋外側の隣り合う各面には下地材１３及び透湿防水シート１４を介して厚み１２ｍｍ程度の受け板（木胴縁）１５がビス等で取り付けられている。
【００１５】
そしてこの受け板１５にはアルミニウム等の金属で形成された接合部材３が留め付けビス１６で取り付けられている。ここで、接合部材３は、図２（ｂ）（ｃ）及び図３に示すように、所定角度（出隅部の角度であり、通常は９０°）をなして一対の長尺状の固定片１，１の各側縁同士を結合し、この結合部から一対の長尺状のガイド片２，２を固定片１の長手方向と平行となるように突設させて断面略十字状に形成されている。一対のガイド片２，２がなす角度は通常９０°であるが、この角度に限定されるものではない。また接合部材３のガイド片２，２は、外壁材４の厚み（１６ｍｍ程度）よりも長くなるように一対の固定片１，１の結合部から突設されている。さらに各固定片１においてガイド片２側の面には結合部から側縁に向かって等間隔、例えば５ｍｍ間隔で深さ０．５ｍｍ程度の溝１７が複数本形成されている。そして受け板１５に接合部材３を取り付ける際には、この溝１７内に留め付けビス１６の先端を入れるようにすれば、留め付けビス１６が各固定片１上を滑らないようにすることができ、取付け作業をスムーズに行うことができるものである。
【００１６】
次に図１のように外壁材４を取り付けるための留め金具１８を透湿防水シート１４を介して下地材１３に固着具１９で固定する。ここで、留め金具１８としては、例えば、図４（ａ）に示すように、固定片２１の片面に上向き保持片４５及び下向き保持片４６を設けて形成されたものを用いることができる。そしてこの留め金具１８を用いて外壁材４を上下に取り付けるにあたっては、まず図４（ｂ）のように外壁材４の上端部に設けられた係止突部６２に留め金具１８の下向き保持片４６を係止させつつ、固定片２１に設けられた固着孔４１に固着具１９を通し、この固着具１９を下地材１３にねじ込んだり打ち付けたりすることによって、留め金具１８を透湿防水シート１４を介して下地材１３に固定する。このようにして下の外壁材４を設置した後、別の外壁材４の下端部に設けられた溝部６１に留め金具１８の上向き保持片４５を係止させるものであり、この一連の作業を必要に応じて繰り返すことによって、外壁材４を上下に取り付けることができる。
【００１７】
そして複数の外壁材４，４を隙間を空けて所定角度（接合部材３の一対の固定片１，１がなす角度と等しく、通常は９０°）をなして設置するものであるが、このとき各外壁材４の端縁を接合部材３の各固定片１に形成されている溝１７の位置に合わせて、外壁材４を留め金具１８に取り付けるものである。このように、固定片１に溝１７が形成されていることによって、外壁の出隅部に設置される外壁材４，４の位置合わせを容易に行うことができるものである。しかも各固定片１には溝１７が複数本形成されているので、隣り合って外壁の出隅部を構成する外壁材４，４間の隙間を任意に変更することができるものである。
【００１８】
出隅部において各外壁材４と接合部材３のガイド片２との間にはそれぞれ等間隔の１０ｍｍ程度の間隙が形成されるが、この間隙にはまず発泡ポリプロピレン、発泡ポリエチレン又は各種樹脂等で形成されたバックアップ材２０を奥に挿入して詰め込み、次に間隙内面にプライマーを塗布した後、シーリング材５を充填するようにしてある。このように、シーリング材５とは接着しないバックアップ材２０を用いることによって三面接着を防止すると共に、水密性を高め、屋外から水等が屋内に浸入するのを防止することができるものである。
【００１９】
ここで、接合部材３のガイド片２は、外壁材４の厚みよりも長くなるように一対の固定片１，１の結合部から突設されているので、プライマーの塗布作業やシーリング材５の充填作業に使用する用具がガイド片２の先端部の角に引っ掛かるなどして、これらの作業をスムーズに行うことができなくなる場合がある。そこでこのような場合には、図２（ｃ）のように各ガイド片２の先端部の外壁材４側に傾斜面１１を形成しておけばよい。この傾斜面１１によって各種用具が引っ掛かるようなことがなくなり、ガイド片２と外壁材４との間隙にプライマーを容易に塗布することができると共に、シーリング材５を容易に充填することができ、施工性を向上させることができるものである。
【００２０】
上記のようにして外壁出隅部の目地構造が形成されており、図１のように接合部材３の一対の固定片１はそれぞれ外壁材４，４の後面側（屋内側）に配置されているが、この接合部材３の一対のガイド片２，２は、所定角度をなして隣り合う外壁材４，４間の隙間を通ってこれらの外壁材４，４の前面から突出している。そしてこのように突出している一対のガイド片２，２が屋外から見えることとなり、これらのガイド片２，２によって目地部分に外観上のアクセントをつけることができ、従来の外壁出隅部に比べて、意匠性を高めることができるものである。
【００２１】
ところで、出隅部において通常外壁材４は複数用いて上下に設置していくので、接合部材３の長さが上下方向において足りなくなる場合がある。この場合、図３のように固定片１，１及びガイド片２，２がそれぞれ連続するようにして複数の接合部材３，３を上下に並べて配置するものであるが、このとき上下に隣り合う接合部材３，３間の継ぎ目が目立ってしまうおそれがある。そこでこのような場合には、図２（ａ）及び図３（ｂ）に示すようなアルミニウム等の金属で形成された連結具９を用いるようにすればよい。なお、図３では接合部材３及び連結具９以外のものについては図示省略している。連結具９は、一対の連結片６，６の各側縁同士を結合すると共に各連結片６の先端部に係合部８を設けて略Ｖ字又はＬ字状に形成されている。ここで、連結具９の一対の連結片６，６は、接合部材３の一対のガイド片がなす角度と等しい角度（通常は９０°）をなしている。また連結具９の各連結片７の幅は接合部材３のガイド片２の幅と略等しい。また連結具９の各係合部８は、各連結片７の先端部を他の連結片７と反対側に折り曲げることによって爪状に形成されている。一方、接合部材３の各ガイド片２の先端部には連結具９の各連結片７の係合部８に係合する係合突起１０が設けられている。この接合部材３の各係合突起１０は、各ガイド片２の先端部を他のガイド片２と反対側（固定片１側）に膨出させることによって形成されている。そして、図３（ａ）（ｂ）のように固定片１，１及びガイド片２，２がそれぞれ連続するようにして複数の接合部材３，３を上下に並べて配置した後、上下に隣り合う接合部材３，３間の継ぎ目に跨る位置において、連結具９の一対の連結片６，６が形成する出隅部を接合部材３の一対のガイド片２，２が形成する入隅部に合致させ、連結具９の連結片７の係合部８と接合部材３のガイド片２の係合突起１０とを係合させて、上下に隣り合う接合部材３，３間の継ぎ目を覆うようにして、連結具９を取り付けるものである。このように、上下に隣り合う接合部材３，３間の継ぎ目が連結具９で覆い隠されることによって、この継ぎ目を目立たないようにすることができるものであり、また上下に隣り合う接合部材３，３の位置がずれるのを防止することができるものである。
【図面の簡単な説明】
【００２２】
【図１】本発明に係る外壁出隅部の目地構造の一例を示す断面図である。
【図２】（ａ）は連結具の一例を示す断面図、（ｂ）は接合部材の一例を示す断面図、（ｃ）は接合部材の他の一例を示す断面図である。
【図３】連結具を取り付ける工程を示すものであり、（ａ）〜（ｃ）は斜視図である。
【図４】（ａ）は留め金具の一例を示す斜視図、（ｂ）は図１のイ−イ線断面図である。
【符号の説明】
【００２３】
１  固定片
２  ガイド片
３  接合部材
４  外壁材
５  シーリング材
６  連結片
８  係合部
９  連結具
１０  係合突起
１１  傾斜面
【図１】
0005161561.tif 000002
【図２】
0005161561.tif 000003
【図３】
0005161561.tif 000004
【図４】
0005161561.tif 000005